(57)【要約】商品の情報と、その商品が映っている放送画像を特定するための識別情報とを取り込む。そして、放送された放送画像と、この放送画像を識別する識別情報とを関連付けて記憶している記憶部の中から、取り込んだ識別情報に対応する識別情報を検索する。検索された識別情報に関連付けられた放送画像を記憶部から読み出し、この読み出された画像と、商品情報とを表示させる。
2005036879.tif 000002
【特許請求の範囲】
【請求項１】
放送された放送画像の中から商品が映っている画像を検索して、その商品の情報と共に表示する商品紹介装置であって、
放送された放送画像と、この放送画像を識別する識別情報とを関連付けて記憶する記憶部と、
商品の情報と、その商品が映っている放送画像を特定するための識別情報とを取り込む取込手段と、
前記記憶部に記憶されている識別情報の中から、前記取り込んだ識別情報に対応する識別情報を検索し、この識別情報に関連付けられた放送画像を前記記憶部から読み出す読出手段と、
前記読み出された画像と、前記商品情報とを表示させる表示制御手段と
を有することを特徴とする商品紹介装置。
【請求項２】
前記取込手段は、
遠隔地にあるサーバーと通信する通信手段と、
前記通信手段を介して、前記サーバーに記憶されている商品情報及びその商品の放送特定データとを取り込む取込手段と
を有することを特徴とする請求項１に記載の商品紹介装置。
【請求項３】
前記取込手段は、記録媒体に記憶されている商品情報及びその商品の放送特定データとを取り込む取込手段であることを特徴とする請求項１に記載の商品紹介装置。
【請求項４】
前記識別情報は、チャンネル識別情報、放送時間、又はタイムコードであることを特徴とする請求項１〜請求項３のいずれかに記載の商品紹介装置。
【請求項５】
遠隔地にあるサーバー又は記録媒体より、商品の放送特定データを取り込み、この放送特定データに基づいて、録画予約を行う録画予約手段を更に有することを特徴とする請求項１〜請求項４のいずれかに記載の商品紹介装置。
【請求項６】
放送された放送画像の中から商品が映っている画像を検索して、その商品の情報と共に表示する商品紹介装置であって、
商品が映っている放送画像を特定するための識別情報を取り込む取込手段と、
前記識別情報を外部装置に送信する送信手段と
を有する端末と、
放送された放送画像と、この放送画像を識別する識別情報とを関連付けて記憶する記憶部と、
前記端末より送信された放送画像の識別情報を取り込む取込手段と、
前記記憶部に記憶されている識別情報の中から、前記取り込んだ識別情報に対応する識別情報を検索し、この識別情報に関連付けられた放送画像を前記記憶部から読み出す読出手段と、
前記読み出された画像を表示させる表示制御手段と
を有する画像記憶・検索装置と
を有することを特徴とする商品紹介システム。
【請求項７】
前記取込手段は、
遠隔地にあるサーバーと通信する通信手段と、
前記通信手段を介して、前記サーバーに記憶されている商品情報及びその商品の放送特定データとを取り込む取込手段と
を有することを特徴とする請求項６に記載の商品紹介システム。
【請求項８】
前記取込手段は、記録媒体に記憶されている商品情報及びその商品の放送特定データとを取り込む取込手段であることを特徴とする請求項６に記載の商品紹介システム。
【請求項９】
前記画像記憶・検索装置は、取り込んだ放送特定データに基づいて、録画予約を行う録画予約手段を更に有することを特徴とする請求項６〜請求項８のいずれかに記載の商品紹介装置。
【請求項１０】
放送された放送画像の中から商品が映っている画像を検索して、その商品の情報と共に表示する商品紹介システムであって、
商品の情報と、その商品が映っている放送画像を特定するための識別情報とが関連付けられて記憶されたデータベースと、
前記商品の情報と前記識別情報とを通信回線を介して送信する送信手段と
を有するサーバーと、
放送された放送画像と、この放送画像を識別する識別情報とを関連付けて記憶する記憶部と、
前記サーバーから送信される商品の情報及び識別情報とを取り込む取込手段と、
前記記憶部に記憶されている識別情報の中から、前記取り込んだ識別情報に対応する識別情報を検索し、この識別情報に関連付けられた放送画像を前記記憶部から読み出す読出手段と、
前記読み出された画像と、前記商品情報とを表示させる表示制御手段と
を有する画像記憶・検索装置と
を有することを特徴とする商品紹介システム。
【請求項１１】
放送された放送画像の中から商品が映っている画像を検索して、その商品の情報と共に表示する商品紹介システムであって、
商品の情報と、その商品が映っている放送画像を特定するための識別情報とが関連付けられて記憶されたデータベースと、
前記商品の情報と前記識別情報とを通信回線を介して送信する送信手段と
を有するサーバーと、
前記送信された商品の情報及び識別情報を取り込む取込手段と、
前記識別情報を外部装置に送信する送信手段と
を有する端末と、
放送された放送画像と、この放送画像を識別する識別情報とを関連付けて記憶する記憶部と、
前記端末より送信された放送画像の識別情報を取り込む取込手段と、
前記記憶部に記憶されている識別情報の中から、前記取り込んだ識別情報に対応する識別情報を検索し、この識別情報に関連付けられた放送画像を前記記憶部から読み出す読出手段と、
前記読み出された画像を表示させる表示制御手段と
を有する画像記憶・検索装置と
を有することを特徴とする商品紹介システム。
【請求項１２】
前記識別情報は、
チャンネル識別情報、放送時間、又はタイムコードであることを特徴とする請求項１０又は請求項１１に記載の商品紹介システム。
【請求項１３】
放送された放送画像の中から商品が映っている画像を検索して、その商品の情報と共に表示する商品紹介装置に、商品が映っている画像を検索するために必要な情報を提供するサーバーであって、
商品の情報と、その商品が映っている放送画像を特定するための識別情報とが関連付けられて記憶されたデータベースと、
前記商品紹介装置からの要求に応答して、要求する前記商品の情報と前記識別情報とを前記データベースから検索して、これらの情報を通信回線を介して送信する送信手段と
を有することを特徴とするサーバー。
【請求項１４】
放送された放送画像の中から商品が映っている画像を検索して、その商品の情報と共に表示する商品紹介装置に、商品が映っている画像を検索するために必要な情報を送信する端末であって、
商品が映っている放送画像を特定するための識別情報を取り込む取込手段と、
前記識別情報を前記商品紹介装置に送信する送信手段と
を有することを特徴とする端末。
【請求項１５】
放送された放送画像の中から商品が映っている画像を検索して、その商品の情報と共に表示する商品紹介方法であって、
商品の情報と、その商品が映っている放送画像を特定するための識別情報とを取り込む取込ステップと、
放送された放送画像と、この放送画像を識別する識別情報とを関連付けて記憶している記憶部の中から、前記取り込んだ識別情報に対応する識別情報を検索し、この識別情報に関連付けられた放送画像を前記記憶部から読み出す読出ステップと、
前記読み出された画像と、前記商品情報とを表示させる表示ステップと
を有することを特徴とする商品紹介方法。
【請求項１６】
前記取込ステップは、
遠隔地にあるサーバーと通信する通信ステップと、
前記通信手段を介して、前記サーバーに記憶されている商品情報及びその商品の放送特定データとを取り込む取込ステップと
を有することを特徴とする請求項１５に記載の商品紹介方法。
【請求項１７】
前記取込ステップは、記録媒体に記憶されている商品情報及びその商品の放送特定データとを取り込む取込ステップであることを特徴とする請求項１５に記載の商品紹介方法。
【請求項１８】
送信された放送画像の中から商品が映っている画像を検索して、その商品の情報と共に表示する商品紹介方法であって、
商品が映っている放送画像を特定するための識別情報を取り込む取込ステップと、
前記識別情報を外部装置に送信する送信ステップと
前記送信された放送画像の識別情報を取り込む取込ステップと、
放送された放送画像と、この放送画像を識別する識別情報とを関連付けて記憶している記憶部の中から、前記取り込んだ識別情報に対応する識別情報を検索し、この識別情報に関連付けられた放送画像を前記記憶部から読み出す読出ステップと、
前記読み出された画像を表示させる表示ステップと
を有することを特徴とする商品紹介方法。
【請求項１９】
前記識別情報は、
チャンネル識別情報、放送時間、又はタイムコードであることを特徴とする請求項１５〜請求項１８のいずれかに記載の商品紹介方法。
【請求項２０】
放送された放送画像の中から商品が映っている画像を検索して、その商品の情報と共に表示する商品紹介装置におけるプログラムであって、
前記プログラムは前記商品紹介装置を、
放送された放送画像と、この放送画像を識別する識別情報とを関連付けて記憶する手段と、
商品の情報と、その商品が映っている放送画像を特定するための識別情報とを取り込む取込手段と、
前記記憶した識別情報の中から、前記取り込んだ識別情報に対応する識別情報を検索し、この識別情報に関連付けられた放送画像を前記記憶部から読み出す読出手段と、
前記読み出された画像と、前記商品情報とを表示させる表示手段と
して機能させることを特徴とするプログラム。
【請求項２１】
放送された放送画像の中から商品が映っている画像を検索して、その商品の情報と共に表示する商品紹介装置に、商品が映っている画像を検索するために必要な情報を提供するサーバーのプログラムであって、
前記プログラムは前記サーバーを、
商品の情報と、その商品が映っている放送画像を特定するための識別情報とが関連付けられて記憶されたデータベースと、
前記商品紹介装置からの要求に応答して、要求する前記商品の情報と前記識別情報とを前記データベースから検索して、これらの情報を通信回線を介して送信する送信手段と
して機能させることを特徴とするプログラム。
【請求項２２】
放送された放送画像の中から商品が映っている画像を検索して、その商品の情報と共に表示する商品紹介装置に、商品が映っている画像を検索するために必要な情報を送信する端末のプログラムであって、
前記プログラムは前記端末を、
商品が映っている放送画像を特定するための識別情報を取り込む取込手段と、
前記識別情報を外部装置に送信する送信手段と
して機能させることを特徴とするプログラム。
【請求項２３】
請求項２０から請求項２２のいずれかに記載のプログラムが格納されたことを特徴とする記録媒体。
【発明の詳細な説明】
【技術分野】  ハードディスクレコーダー等の放送された画像を記憶する画像記憶装置から、商品に関連のある画像を検索し、商品情報等ともに再生する発明に関する。
【背景技術】  テレビ番組等で紹介されたり、使用されたりした商品は、大ヒット商品となる確率が高いため、放送された商品の内容についての情報を提供するシステムが提案されている。
しかしながら、このようなシステムの場合、情報を提供する装置の記憶容量に限界があり、提供する情報も限られてくるため、商品の放送画像まで提供することができなかった。
又、デジタル放送の開始によって、番組で紹介する商品の情報を番組と共に提供するための技術が多数提案されている。
しかしながら、番組で紹介する商品の情報を提供するためには、放送局側で放送する番組毎に商品情報のデータを作成しなければならず、手間とコストがかかっていた。
【発明の開示】
本発明の目的は、上記問題点を解決することにある。
また、本発明の目的は、放送側で、放送する画像に手を加えたり、新たに商品や画像を特定するようなデータを追加したりすることなく、商品が映っている放送された画像のみを検索して表示させるシステムを提供することにある。
上記目的を達成させる第１の発明は、放送された放送画像の中から商品が映っている画像を検索して、その商品の情報と共に表示する商品紹介装置であって、
放送された放送画像と、この放送画像を識別する識別情報とを関連付けて記憶する記憶部と、
商品の情報と、その商品が映っている放送画像を特定するための識別情報とを取り込む取込手段と、
前記記憶部に記憶されている識別情報の中から、前記取り込んだ識別情報に対応する識別情報を検索し、この識別情報に関連付けられた放送画像を前記記憶部から読み出す読出手段と、
前記読み出された画像と、前記商品情報とを表示させる表示制御手段と
を有することを特徴とする。
また、上記目的を達成させる第２の発明は、上記第１の発明において、前記取込手段が、
遠隔地にあるサーバーと通信する通信手段と、
前記通信手段を介して、前記サーバーに記憶されている商品情報及びその商品の放送特定データとを取り込む取込手段と
を有することを特徴とする。
また、上記目的を達成させる第３の発明は、上記第１の発明において、前記取込手段が、記録媒体に記憶されている商品情報及びその商品の放送特定データとを取り込む取込手段であることを特徴とする。
また、上記目的を達成させる第４の発明は、上記第１から第３の発明のいずれかにおいて、前記識別情報が、チャンネル識別情報、放送時間、又はタイムコードであることを特徴とする。
また、上記目的を達成させる第５の発明は、上記第１から第４の発明のいずれかにおいて、遠隔地にあるサーバー又は記録媒体より、商品の放送特定データを取り込み、この放送特定データに基づいて、録画予約を行う録画予約手段を更に有することを特徴とする。
また、上記目的を達成させる第６の発明は、放送された放送画像の中から商品が映っている画像を検索して、その商品の情報と共に表示する商品紹介装置であって、
商品が映っている放送画像を特定するための識別情報を取り込む取込手段と、
前記識別情報を外部装置に送信する送信手段と
を有する端末と、
放送された放送画像と、この放送画像を識別する識別情報とを関連付けて記憶する記憶部と、
前記端末より送信された放送画像の識別情報を取り込む取込手段と、
前記記憶部に記憶されている識別情報の中から、前記取り込んだ識別情報に対応する識別情報を検索し、この識別情報に関連付けられた放送画像を前記記憶部から読み出す読出手段と、
前記読み出された画像を表示させる表示制御手段と
を有する画像記憶・検索装置と
を有することを特徴とする。
また、上記目的を達成させる第７の発明は、上記第６の発明において、前記取込手段が、
遠隔地にあるサーバーと通信する通信手段と、
前記通信手段を介して、前記サーバーに記憶されている商品情報及びその商品の放送特定データとを取り込む取込手段と
を有することを特徴とする。
また、上記目的を達成させる第８の発明は、上記第６の発明において、前記取込手段が、記録媒体に記憶されている商品情報及びその商品の放送特定データとを取り込む取込手段であることを特徴とする。
また、上記目的を達成させる第９の発明は、上記第６から第８の発明のいずれかにおいて、前記画像記憶・検索装置は、取り込んだ放送特定データに基づいて、録画予約を行う録画予約手段を更に有することを特徴とする。
また、上記目的を達成させる第１０の発明は、放送された放送画像の中から商品が映っている画像を検索して、その商品の情報と共に表示する商品紹介システムであって、
商品の情報と、その商品が映っている放送画像を特定するための識別情報とが関連付けられて記憶されたデータベースと、
前記商品の情報と前記識別情報とを通信回線を介して送信する送信手段と
を有するサーバーと、
放送された放送画像と、この放送画像を識別する識別情報とを関連付けて記憶する記憶部と、
前記サーバーから送信される商品の情報及び識別情報とを取り込む取込手段と、
前記記憶部に記憶されている識別情報の中から、前記取り込んだ識別情報に対応する識別情報を検索し、この識別情報に関連付けられた放送画像を前記記憶部から読み出す読出手段と、
前記読み出された画像と、前記商品情報とを表示させる表示制御手段と
を有する画像記憶・検索装置と
を有することを特徴とする。
また、上記目的を達成させる第１１の発明は、放送された放送画像の中から商品が映っている画像を検索して、その商品の情報と共に表示する商品紹介システムであって、
商品の情報と、その商品が映っている放送画像を特定するための識別情報とが関連付けられて記憶されたデータベースと、
前記商品の情報と前記識別情報とを通信回線を介して送信する送信手段と
を有するサーバーと、
前記送信された商品の情報及び識別情報を取り込む取込手段と、
前記識別情報を外部装置に送信する送信手段と
を有する端末と、
放送された放送画像と、この放送画像を識別する識別情報とを関連付けて記憶する記憶部と、
前記端末より送信された放送画像の識別情報を取り込む取込手段と、
前記記憶部に記憶されている識別情報の中から、前記取り込んだ識別情報に対応する識別情報を検索し、この識別情報に関連付けられた放送画像を前記記憶部から読み出す読出手段と、
前記読み出された画像を表示させる表示制御手段と
を有する画像記憶・検索装置と
を有することを特徴とする。
また、上記目的を達成させる第１２の発明は、上記第１０又は第１１の発明おいて、前記識別情報が、チャンネル識別情報、放送時間、又はタイムコードであることを特徴とする。
また、上記目的を達成させる第１３の発明は、放送された放送画像の中から商品が映っている画像を検索して、その商品の情報と共に表示する商品紹介装置に、商品が映っている画像を検索するために必要な情報を提供するサーバーであって、
商品の情報と、その商品が映っている放送画像を特定するための識別情報とが関連付けられて記憶されたデータベースと、
前記商品紹介装置からの要求に応答して、要求する前記商品の情報と前記識別情報とを前記データベースから検索して、これらの情報を通信回線を介して送信する送信手段と
を有することを特徴とする。
また、上記目的を達成させる第１４の発明は、放送された放送画像の中から商品が映っている画像を検索して、その商品の情報と共に表示する商品紹介装置に、商品が映っている画像を検索するために必要な情報を送信する端末であって、
商品が映っている放送画像を特定するための識別情報を取り込む取込手段と、
前記識別情報を前記商品紹介装置に送信する送信手段と
を有することを特徴とする。
また、上記目的を達成させる第１５の発明は、放送された放送画像の中から商品が映っている画像を検索して、その商品の情報と共に表示する商品紹介方法であって、
商品の情報と、その商品が映っている放送画像を特定するための識別情報とを取り込む取込ステップと、
放送された放送画像と、この放送画像を識別する識別情報とを関連付けて記憶している記憶部の中から、前記取り込んだ識別情報に対応する識別情報を検索し、この識別情報に関連付けられた放送画像を前記記憶部から読み出す読出ステップと、
前記読み出された画像と、前記商品情報とを表示させる表示ステップと
を有することを特徴とする商品紹介方法。
また、上記目的を達成させる第１６の発明は、上記第１５の発明において、前記取込ステップが、
遠隔地にあるサーバーと通信する通信ステップと、
前記通信手段を介して、前記サーバーに記憶されている商品情報及びその商品の放送特定データとを取り込む取込ステップと
を有することを特徴とする。
また、上記目的を達成させる第１７の発明は、上記第１５の発明において、前記取込ステップが、記録媒体に記憶されている商品情報及びその商品の放送特定データとを取り込む取込ステップであることを特徴とする。
また、上記目的を達成させる第１８の発明は、送信された放送画像の中から商品が映っている画像を検索して、その商品の情報と共に表示する商品紹介方法であって、
商品が映っている放送画像を特定するための識別情報を取り込む取込ステップと、
前記識別情報を外部装置に送信する送信ステップと
前記送信された放送画像の識別情報を取り込む取込ステップと、
放送された放送画像と、この放送画像を識別する識別情報とを関連付けて記憶している記憶部の中から、前記取り込んだ識別情報に対応する識別情報を検索し、この識別情報に関連付けられた放送画像を前記記憶部から読み出す読出ステップと、
前記読み出された画像を表示させる表示ステップと
を有することを特徴とする。
また、上記目的を達成させる第１９の発明は、上記第１５から第１８の発明のいずれかにおいて、前記識別情報は、
チャンネル識別情報、放送時間、又はタイムコードであることを特徴とする。
また、上記目的を達成させる第２０の発明は、放送された放送画像の中から商品が映っている画像を検索して、その商品の情報と共に表示する商品紹介装置におけるプログラムであって、
前記プログラムは前記商品紹介装置を、
放送された放送画像と、この放送画像を識別する識別情報とを関連付けて記憶する手段と、
商品の情報と、その商品が映っている放送画像を特定するための識別情報とを取り込む取込手段と、
前記記憶した識別情報の中から、前記取り込んだ識別情報に対応する識別情報を検索し、この識別情報に関連付けられた放送画像を前記記憶部から読み出す読出手段と、
前記読み出された画像と、前記商品情報とを表示させる表示手段と
して機能させることを特徴とするプログラム。
また、上記目的を達成させる第２１の発明は、放送された放送画像の中から商品が映っている画像を検索して、その商品の情報と共に表示する商品紹介装置に、商品が映っている画像を検索するために必要な情報を提供するサーバーのプログラムであって、
前記プログラムは前記サーバーを、
商品の情報と、その商品が映っている放送画像を特定するための識別情報とが関連付けられて記憶されたデータベースと、
前記商品紹介装置からの要求に応答して、要求する前記商品の情報と前記識別情報とを前記データベースから検索して、これらの情報を通信回線を介して送信する送信手段と
して機能させることを特徴とする。
また、上記目的を達成させる第２２の発明は、放送された放送画像の中から商品が映っている画像を検索して、その商品の情報と共に表示する商品紹介装置に、商品が映っている画像を検索するために必要な情報を送信する端末のプログラムであって、
前記プログラムは前記端末を、
商品が映っている放送画像を特定するための識別情報を取り込む取込手段と、
前記識別情報を外部装置に送信する送信手段と
して機能させることを特徴とする。
上記第２０から第２２の発明のいずれかに記載のプログラムが格納されたことを特徴とする記録媒体である。
【図面の簡単な説明】  第１図は、第１から第３の実施例のシステムのブロック図である。
第２図は、商品紹介コンテンツサーバーのブロック図である。
第３図は、商品情報データの構成例である。
第４図は、放送特定データの構成例である。
第５図は、第１の実施例におけるハードディスクレコーダーのブロック図である。
第６図は、メタデータの構成例である。
第７図は、商品イメージ画像検索画面の例である。
第８図は、第１の実施例の動作を説明するためのフローチャートである。
第９図は、本発明における商品イメージ画像検索画面の例である。
第１０図は、本発明における商品イメージ画像検索画面の例である。
第１１図は、本発明における商品イメージ画像検索画面の例である。
第１２図は、本発明におけるハードディスクレコーダーのブロック図である。
第１３図は、第２の実施例の動作を説明するためのフローチャートである。
第１４図は、第３の実施例におけるハードディスクレコーダーのブロック図である。
第１５図は、第３の実施例における放送予約画面の例である。
第１６図は、録画予約情報の例である。
第１７図は、第３の実施例の動作を説明するためのフローチャートである。
第１８図は、放送予約画面の例である。
第１９図は、第４の実施例のシステムのブロック図である。
第２０図は、第４の実施例の携帯端末のブロック図である。
第２１図は、第４の実施例の携帯端末の画面例である。
第２２図は、第４の実施例の携帯端末の画面例である。
第２３図は、第４の実施例におけるハードディスクレコーダーのブロック図である。
第２４図は、第４の実施例におけるハードディスクレコーダーの画面例である。
第２５図は、第４の実施例の動作を説明するためのフローチャートである。
発明の実施例
本発明の第一の実施例を説明する。
図１は、本発明の第一の実施例の概念図である。
図１中、１は放送局であり、２は受信機であり、３は商品紹介コンテンツサーバーであり、４はハードディスクレコーダーであり、５はディスプレイであり、６はインターネットである。以下、各部について説明する。
放送局１は、番組をアナログ放送するものである。
受信機２は、放送局１が放送した番組の画像を受信するものである。
次に、商品紹介コンテンツサーバー３について説明する。商品紹介コンテンツサーバー３は、例えば、インターネット上にある、Ｗｅｂコンテンツサーバーである。商品紹介コンテンツサーバー３は、ハードディスクレコーダー４に記憶されている放送画像の中から、所望する商品（検索対象）が映っている画像を検索するために必要な情報を提供するための装置である。
この商品紹介コンテンツサーバー３は、図２に示すように、コンテンツ情報が記憶された記憶部３１と、検索部３２と、送受信部３３とを有する。ここで、商品紹介コンテンツサーバー３の各部について説明する。
記憶部３１は、ユーザが所望する商品（検索対象）が映っている画像を検索するために必要な情報が記憶されている、商品情報データベース３１１、放送特定データのデータベース３１２及び画面データベース３１３等の各種データベースを有する。
商品情報データベース３１１は、検索対象である、商品、店舗、及び人物などに関する情報を管理するものであり、この商品情報データベース３１１が保持している情報は、ユーザが所望する商品（検索対象）を特定するために必要な情報である。この商品情報データ３１１は、図３に示すように、商品識別コード、商品名、画像、番組名、及び商品の放送時情報から１レコード構成される。
商品識別コードは、商品を一意に識別し、検索のキーコードとなる識別番号である。商品名は商品の名称である。画像は商品の画像である。番組名は商品が放送された番組の名称である。商品の放送時情報は、商品が映っている画像が放送された際の情報であり、例えば、商品が洋服である場合、放送された際にその商品を着ていた俳優の名前や商品のブランド名等の情報であり、商品が食品である場合、その商品を扱っている店舗名や住所等の情報等である。尚、本実施例では、商品情報データは、商品識別コード、商品名、画像、番組名、及び商品の放送時情報から１レコードを構成したが、これに限るものではなく、他の情報、例えば、商品を販売している店舗を紹介するＵＲＬ等の情報を追加するように構成しても良い。
放送特定データのデータベース３１２は、商品が映っている画像を特定するための情報を管理するものである。この放送特定データは、図４に示すように、商品識別コード、チャンネル識別コード、放送日時、及び放送時間長から１レコードが構成される。
商品識別コードは、上述した商品情報データ３１１の商品識別コードと同一のものである。チャンネル識別コードは、商品が映っている画像を放送した放送局やチャンネルを識別するためのものである。放送日時は、商品が映っている画像が放送された放送開始時刻である。時間長は、検索対象が映っている画像が放送された時間長である。例えば、商品コードが０００１のベッドが、４チャンネルで、２００３年８月８日１０時１５分００秒から２３秒間放送された場合、商品コードが０００１のベッドは図４に示すような形式で、放送特定データのデータベース３１２に格納される。尚、本実施例では、放送特定データの項目は、商品識別コード、チャンネル識別コード、放送日時、及び放送時間長を例にして説明するが、これに限るものではない。例えば、放送画像のタイムコードや、Ｇコード等の番組を特定する情報を組み合わせて商品が映っている画像を識別できるような情報であればよい。
尚、本実施例では、商品識別コードをキーコードとして、商品情報データベース３１１の商品関連の情報と、放送特定データベース３１２の商品が映っている画像を特定する情報とを互いに関連づける構成としたが、これに限るものではない。すなわち、商品識別コードとこの商品識別コードに対応する放送特定データが対応したデータベースであれば良く、二つのデータベースを一つにまとめて構成しても良い。
検索部３２は、ハードディスクレコーダー４から送信されてくる要求に基づいて、各種コンテンツ情報を検索する。例えば、ハードディスクレコーダー４から、商品コードが０００１の放送特定データの送信要求があった場合、商品コード０００１に基づいて、放送特定データを放送特定データのデータベース３１２から検索する。
送受信部３３は、ハードディスクレコーダー４から送信される要求を受信する。又、送受信部３３は、各種コンテンツ情報をハードディスクレコーダー４に送信する。
次に、ハードディスクレコーダー４について説明する。
ハードディスクレコーダー４は、商品紹介コンテンツサーバー３と、インターネット６を介して接続されている。又、ハードディスクレコーダー４は、図５に示すように、ハードディスク４１と、送受信部４２と、制御部４３とを有する。
ハードディスク４１は、基本的には従来から存在するものであり、放送局１が送信した画像の内、ユーザが選択した番組の画像を記憶し、その時に記憶画像情報として、図６に示すような画像を放送した放送局を識別するためのチャンネル識別番号や、画像が放送された時間を示す放送時間等が記述されているメタデータを記憶する。尚、本実施例では、メタデータとして、チャンネル識別コード、及び放送時間を例にして説明するが、これに限るものではない。すなわち、タイムコードなど放送画像を識別できる情報であればよい。
送受信部４２は、通信回線を介して、インターネット上にある商品紹介コンテンツサーバー３に、各種データの送信要求を送信する。又、送受信部４２は、通信回線を介して、インターネット上にある商品紹介コンテンツサーバー３から送信される、各種データを受信する。
制御部４３は、ハードディスクレコーダー４における各種動作を制御するものである。制御部４３は、画像検索部４３１と再生部４３２と画面表示制御部４３３とを有する。
画像検索部４３１は、従来からあるハードディスクレコーダーに新たに追加されたものであって、送受信部４２で受信された放送特定データに基づいて、ハードディスク４１に記憶されている画像の中から、放送特定データに書き込まれている条件に合う画像を検索する。
再生部４３２は、画像検索部４３１で検索された画像を再生する。
画面表示制御部４３３は、従来からあるハードディスクレコーダーに新たに追加されたものであって、商品紹介コンテンツサーバー３から受信した各種コンテンツ情報をディスプレイ５に表示させるものである。画面表示制御部４３３は、例えば図７に示すような、検索対象の放送画像を検索するための商品イメージ画像検索画面をディスプレイ５に表示させる。商品イメージ画像検索画面は、商品情報ウィンドウ２０１、商品イメージ画像ウィンドウ２０２、画像情報ウィンドウ２０３、及びサムネイル画面２０４等を有する。
商品情報ウィンドウ２０１には、商品紹介コンテンツサーバー３から得たコンテンツが表示される。
商品イメージ画像ウィンドウ２０２には、ハードディスクレコーダー４に記憶されている、検索対象の商品が映っている放送画像が表示される。
画像情報ウィンドウ２０３には、商品イメージ画像ウィンドウ２０２に表示されている画像が放送された日時、時刻、及び番組名等が表示される。
サムネイル画面２０４は、放送画像の検索の結果、ハードディスクレコーダー４に記憶されている放送画像が複数検索された場合、サムネイルとして表示させる画面である。
ディスプレイ５は、画面表示制御部４３３からの指示に基づいて各種画面を表示するものである。
次に、上述した構成のシステムにおける、画像を検索して再生する方法について説明する。尚、本実施例では、ハードディスクレコーダー４は、受信機２が受信した番組の中から、ユーザにより選択された番組の画像が記憶されているものとする。
図８は、本実施例の動作を示すフローチャートである。
ユーザは、まず、ハードディスクレコーダー４を用いて商品紹介コンテンツサーバー３にアクセスする（ステップＳ１０１）。この時、ハードディスクレコーダー４は送受信部４２を介して、商品紹介コンテンツサーバー３に画面要求を送信する（ステップＳ１０２）。
商品紹介コンテンツサーバー３の送受信部３３が画面要求を受信すると、検索部３２は画面要求に基づいて、商品イメージ画像検索画面を、送受信部３３を介してハードディスクレコーダー４に送信する（ステップＳ１０３）。
送受信部４２が商品イメージ画像検索画面を受信すると、画面表示制御部４３３は、図９に示すような、商品イメージ画像検索画面をディスプレイ５に表示させる（ステップＳ１０４）。ユーザは、商品イメージ画像検索画面で、好きなドラマで使用されている商品を知るために、まず、所望のドラマを検索する（ステップ１０５）。ここでは、商品情報データの番組名が“ドラマ＊＊＊”とする。
ユーザが商品イメージ画像検索画面で、番組名“ドラマ＊＊＊”に設定すると、ハードディスクレコーダー４は送受信部４２を用いて、商品紹介コンテンツサーバー３に、番組名“ドラマ＊＊＊”で使用されている商品情報データの送付要求を送信する（ステップ１０６）。
商品紹介コンテンツサーバー３の送受信部３３が商品情報データの番組名が“ドラマ＊＊＊”である商品情報データの送付要求を受信すると、検索部３２は商品情報データの送付要求に基づいて、番組名“ドラマ＊＊＊”に関連付けられている商品情報データ（商品識別コード、商品名、画像、及び商品の放送時情報等）を商品情報データベース３１１から検索する（ステップ１０７）。送受信部３３は、この検索結果をハードディスクレコーダー４に送信する（ステップ１０８）。
ハードディスクレコーダー４の送受信部４２が、商品紹介コンテンツサーバー３からの商品情報データを受信すると、図１０に示すように、画像表示部４３３は、受信したデータに基づいて、商品情報データの番組名が“ドラマ＊＊＊”であるベッドと帽子との商品情報を商品情報ウィンドウ２０１に表示させる。（ステップＳ１０９）。
ここで、ユーザがベッドを選択すると、ハードディスクレコーダー４は送受信部４２を用いて、商品紹介コンテンツサーバー３にベッドの商品識別コード（図４では０００１）に関連付けられている放送特定データの送信要求を送信する（ステップＳ１１０）。
送受信部３３が放送特定データ送信要求を受信すると、検索部３２はその中に書き込まれている商品識別コードに関連付けられた放送特定データ（ベッドの放送特定データ）を放送特定データデータベース３１２から検索する（ステップＳ１１１）。検索部３２がベッドの放送特定データを検索すると、送受信部３３はベッドの放送特定データをハードディスクレコーダー４に送信する（ステップＳ１１２）。ここでは、商品識別コード“０００１”に関連づけられた放送特定データは、チャンネル識別コード“４チャンネル”、放送日時“２００３／０８／０８  １０：１５：００”及び放送時間長“２３”と、チャンネル識別コード“６チャンネル”、放送日時“２００３／０８／２５  ２０：０７：２２”及び放送時間長“３５”とであるので、これらの情報を送信する。
送受信部４２がベッドの放送特定データを受信すると、画像検索部４３１は、受信した放送特定データに基づいてハードディスク４１の中から、画像を検索する（ステップＳ１１３）。
検索の結果、ハードディスク４１にベッドの放送画像が記憶されている場合、その検索された放送画像は再生部４３２によって再生され、図１１に示すように、商品イメージ画像ウィンドウ２０２に商品イメージ画像として表示される（ステップＳ１１４）。
ここでは、受信した放送特定データは、チャンネル識別コード“４チャンネル”、放送日時“２００３／０８／０８  １０：１５：００”及び放送時間長“２３”と、チャンネル識別コード“６チャンネル”、放送日時“２００３／０８／２５  ２０：０７：２２”及び放送時間長“３５”とである。しかしながら、記憶されているメタデータには、チャンネル識別コード“４チャンネル”、放送日時“２００３／０８／０８  １０：１５：００”及び放送時間長“２３”に該当するものしかない。従って、ディスプレイ５上には、４チャンネルにより２００３／０８／０８、１０：１５：００に放送されたドラマのシーンが２３秒表示される。
一方、検索の結果、ハードディスク４１にベッドの放送画像が記憶されていない場合、ディスプレイ５上に、ベッドの放送画像がハードディスク４１に記憶されていないことを表示させる（ステップＳ１１５）。
次に第２の実施例について説明する。
上述した実施例では、商品画像と放送特定データとを商品紹介コンテンツサーバー３から取り込んでいた。第２の実施例では、商品画像と放送特定データとを、ＣＤ又はＤＶＤ等の各種記録媒体から取り込む場合について説明する。尚、上述した実施例と同様の構成については、同一の番号を付して、詳細な説明は省略する。
図１２は、第２の実施例におけるハードディスクレコーダー４のブロック図である。
４４は、ディスクドライブである。ディスクドライブ４４は、ＣＤ又はＤＶＤ等の各種記録媒体に記録されている商品情報と放送特定データとを読み出すものである。
次に、本実施例における動作の説明をする。
図１３は、本実施例における動作を説明するためのフローチャートである。
ユーザは、所望する商品の放送画像を検索するために、図９に示すような、商品イメージ画像検索画面を表示させる（ステップＳ２０１）。ユーザは、商品イメージ画像検索画面で、好きなドラマで使用されている商品を知るために所望のドラマを検索する（ステップＳ２０２）。ここでは、商品情報データの番組名が“ドラマ＊＊＊”とする。
ユーザが商品イメージ画像検索画面で、番組名“ドラマ＊＊＊”に設定すると、ディスクドライブ４４は、番組名“ドラマ＊＊＊”に関連付けられている商品情報データ（商品識別コード、商品名、画像、及び商品の放送時情報等）を記録媒体から読み出す（ステップＳ２０３）。読み出された商品情報は、図１０に示すように、画像表示部４３３は、商品情報データの番組名が“ドラマ＊＊＊”であるベッドと帽子との商品情報を商品情報ウィンドウ２０１に表示させる（ステップＳ２０４）。
ここで、ユーザが、ベッドを選択すると、ディスクドライブ４４は、ベッドの商品識別コードに関連付けられた放送特定データを読み出す（ステップＳ２０５）。ここでは、商品識別コード“０００１”に関連づけられた放送特定データは、チャンネル識別コード“４チャンネル”、放送日時“２００３／０８／０８  １０：１５：００”及び放送時間長“２３”と、チャンネル識別コード“６チャンネル”、放送日時“２００３／０８／２５  ２０：０７：２２”及び放送時間長“３５”とであるので、これらの情報を読み出す。
放送特定データが読み出されると、画像検索部４３１は、読み出された放送特定データに基づいてハードディスク４１の中から、画像を検索する（ステップＳ２０６）。  検索の結果、ハードディスク４１にベッドの放送画像が記憶されている場合、その検索された放送画像は再生部４３２によって再生され、図１１に示すように、商品イメージ画像ウィンドウ２０２に商品イメージ画像として表示される（ステップＳ２０７）。
ここでは、受信した放送特定データは、チャンネル識別コード“４チャンネル”、放送日時“２００３／０８／０８  １０：１５：００”及び放送時間長“２３”と、チャンネル識別コード“６チャンネル”、放送日時“２００３／０８／２５  ２０：０７：２２”及び放送時間長“３５”とである。しかしながら、記憶されているメタデータには、チャンネル識別コード“４チャンネル”、放送日時“２００３／０８／０８  １０：１５：００”及び放送時間長“２３”に該当するものしかない。従って、ディスプレイ５上には、４チャンネルにより２００３／０８／０８、１０：１５：００に放送されたドラマのシーンが２３秒表示される。
一方、検索の結果、ハードディスク４１にベッドの放送画像が記憶されていない場合、ディスプレイ５上に、ベッドの放送画像がハードディスク４１に記憶されていないことを表示させる（ステップＳ２０８）。
尚、上述した第１及び第２の実施例では、商品画像と放送特定データとを、商品紹介コンテンツサーバー又は記録媒体から取り込んでいるが、これに限るものではない。すなわち、バーコードリーダー等、商品画像や放送特定データを読み込めるものであれば良い。又、キーボードなどの入力手段を用いて、放送特定データのみを手入力しても良い。
更に、上述した第１及び第２の実施例では、メタデータをハードディスクで作成する場合について説明したが、放送画像とメタデータとが関連付けられて一緒に送信される構成にしても良い。その場合、放送局１は放送画像とメタデータとを関連付けて送信し、ハードディスク４１は受信したメタデータと画像とをそのまま関連付けて記憶する。
更に、上述した第１及び第２の実施例では、放送画像の検索対象となる商品を検索して、検索された商品の商品情報を商品情報ウィンドウ２０１に表示させる構成について説明したが、商品の検索をせずに、全ての商品情報を商品情報ウィンドウ２０１に表示させる構成にしても良い。
次に第３の実施例について説明する。
上述した実施例では、放送済みである画像をハードディスクから検索する動作について説明した。本実施例では、放送特定データに放送予定のデータが入っていた場合に、そのデータに基づいて録画予約する方法ついて説明する。尚、同様の構成については、同一の番号を付して、詳細な説明は省略する。
図１４は、第３の実施例におけるハードディスクレコーダー４のブロック図である。
画面表示部４３３は、ディスプレイ５に各種画面を表示させるものである。例えば図１５に示すような、放送予約画面を表示させる。
ここで、放送予約画面について説明する。
放送予約画面は、放送予定情報ウィンドウ１５０１、及び録画設定ボタン１５０２等を有する。
放送予定情報ウィンドウには、放送特定データの内、放送予定の放送特定データのみが表示される。
録画予約設定ボタンは、放送予定情報ウィンドウに表示されている放送予定情報の画像を録画予約するためのボタンである。
ハードディスク４１は、放送局１が送信した画像の内、ユーザが任意に選択した番組の画像を、記憶画像情報である、チャンネル識別番号及びタイムコードを付して記憶する。更に、ハードディスク４１は録画予約情報を記憶する。この録画予約情報は、録画予約設定ボタンが押された際に、作成され、ハードディスク４１に記憶されるものである。又、録画予約情報は、図１６に示すように、予約番号、チャンネル識別番号、放送開始時間、及び放送時間長等からなる。尚、本実施例における録画予約情報の項目は、予約番号、チャンネル識別番号、放送開始時間、及び放送時間長を例にして説明するが、これに限るものではない。すなわち、録画する予定の番組を識別できる情報であればよい。
４３４は、判定部である。判定部４３４は、放送特定データの中に、放送予定のデータがあるかを判定するものである。
次に、本実施例における動作の説明をする。尚、ここでは、上述した第１及び第２の実施例で画像検索部４３１が画像を検索した結果、ハードディスク４１にベッドの放送画像が記憶されていなかった場合に、録画予約画面を表示させる場合について説明する。
図１７は、本実施例における動作を説明するためのフローチャートである。
画像検索部４３１がベッドの放送画像を検索した結果、ベッドの放送画像がハードディスク４１に記憶されていなかった場合、判定部４３４は、放送特定データの中に、放送予定のデータがあるかを判定する（ステップＳ３０１）。
判定部４３４が、放送予定のデータがあると判定した場合、画面表示制御部４３３は、図１８に示すような、放送予約画面を表示させる（ステップＳ３０２）。
ユーザは、放送予約画面を用いて、これから放送される予定の画像の録画予約を行う（ステップＳ３０３）。
ハードディスク４１は、ユーザによって設定された録画予約を録画予約情報として記憶する（ステップＳ３０４）。
尚、本実施例では、上述した第１及び第２の実施例で画像検索部４３１が画像を検索した結果、ハードディスク４１にベッドの放送画像が記憶されていなかった場合に、録画予約画面を表示させる場合について説明したが、これに限るものではない。すなわち、ハードディスクレコーダー４は、検索対象である商品の放送特定データの内、これから放送される予定の放送特定データのみを取り込み、録画予約する構成にしても良い。
次に第４の実施例について説明する。
上述した実施例では、ハードディスクレコーダー４に商品情報データと放送特定データとを取り込んで、画像を検索する構成について説明した。本実施例では、ハードディスクレコーダー以外の装置が商品情報データと放送特定データとを取り込み、この取り込んだ放送特定データをハードディスクレコーダー４に送信する構成について説明する。尚、上述した実施例と同様の構成については、同一の番号を付して、詳細な説明は省略する。
図１９は、本実施例の概念図である。
７は、携帯端末である。携帯端末７は、インターネット６を介して、商品紹介コンテンツサーバー３から、商品情報データと放送特定データとを取り込む。又、携帯端末７は、赤外線当を使用して、ハードディスクレコーダー４に受信した放送特定データを送信する。尚、本実施例では携帯端末としているが、これに限るものではない。すなわち、リモコンやＰＤＡ等であっても良い。
図２０は、携帯端末７のブロック図である。
携帯端末７は、送受信部７１と画面表示制御部７２とディスプレイ７３と赤外線送受信部７４とを有する。
送受信部７１は、通信回線を介して、インターネット上にある商品紹介コンテンツサーバー３に、各種データの送信要求を送信する。又、送受信部７１は、通信回線を介して、インターネット上にある商品紹介コンテンツサーバー３から送信される、各種データを受信する。
画面表示制御部７２は、図２１及び図２２に示すような、商品紹介コンテンツサーバー３から受信した各種コンテンツ情報をディスプレイ７３に表示させるものである。
ディスプレイ７３は、画面表示制御部７２からの指示に基づいて各種画面を表示する。
赤外線送受信部７４は、赤外線を用いて、ハードディスクレコーダー４とデータの送受信するためのものである。
図２３は、ハードディスクレコーダー４のブロック図である。
画面表示部４３３は、例えば図２４に示すような再生画面を表示させる。再生画面には第１及び第２の実施の形態同様、商品イメージ画像ウィンドウ２０２、画像情報ウィンドウ２０３、及びサムネイル画面２０４等を有する。
４４は、赤外線送受信部である。赤外線送受信部４４は、赤外線を用いて、携帯端末７とデータの送受信するためのものである。
図２５は、本実施例の動作を示すフローチャートである。
ユーザは、まず、携帯端末７を用いて商品紹介コンテンツサーバー３にアクセスする（ステップＳ４０１）。この時、携帯端末７は送受信部７１を介して、商品紹介コンテンツサーバー３に画面要求を送信する（ステップＳ４０２）。
商品紹介コンテンツサーバー３の送受信部３３が画面要求を受信すると、検索部３２は画面要求に基づいて、商品イメージ画像検索画面を、送受信部３３を介してハード携帯端末７に送信する（ステップＳ４０３）。
携帯端末７の送受信部７１が商品イメージ画像検索画面を受信すると、画面表示制御部７２は、図２１に示すような、商品イメージ画像検索画面をディスプレイ７３に表示させる（ステップＳ４０４）。ユーザは、商品イメージ画像検索画面で、好きなドラマで使用されている商品を知るために、まず、所望のドラマを検索する（ステップ４０５）。ここでは、商品情報データの番組名が“ドラマ＊＊＊”とする。
ユーザが商品イメージ画像検索画面で、番組名“ドラマ＊＊＊”に設定すると、携帯端末７は送受信部７１を用いて、商品紹介コンテンツサーバー３に、番組名“ドラマ＊＊＊”で使用されている商品情報データの送付要求を送信する（ステップ４０６）。
商品紹介コンテンツサーバー３の送受信部３３が商品情報データの番組名が“ドラマ＊＊＊”である商品情報データの送付要求を受信すると、検索部３２は商品情報データの送付要求に基づいて、番組名“ドラマ＊＊＊”に関連付けられている商品情報データ（商品識別コード、商品名、画像、及び商品の放送時情報等）を商品情報データベース３１１から検索する（ステップ４０７）。送受信部３３は、この検索結果を携帯端末７に送信する（ステップ４０８）。
携帯端末７の送受信部７１が、商品紹介コンテンツサーバー３からの商品情報データを受信すると、画面表示制御部７２は、受信したデータに基づいて、図２２に示すような、商品情報データの番組名が“ドラマ＊＊＊”であるベッドと帽子との商品情報をディスプレイ７３に表示させる。（ステップＳ４０９）。
ここで、ユーザがベッドを選択すると、携帯端末７は送受信部７１を用いて、商品紹介コンテンツサーバー３にベッドの商品識別コード“０００１”に関連付けられている放送特定データの送信要求を送信する（ステップＳ４１０）。
送受信部３３が放送特定データ送信要求を受信すると、検索部３２はその中に書き込まれている商品識別コードに関連付けられた放送特定データ（ベッドの放送特定データ）を放送特定データのデータベース３１２から検索する（ステップＳ４１１）。検索部３２がベッドの放送特定データを検索すると、送受信部３３はベッドの放送特定データを携帯端末７に送信する（ステップＳ４１２）。ここでは、商品識別コード“０００１”に関連づけられた放送特定データは、チャンネル識別コード“４チャンネル”、放送日時“２００３／０８／０８  １０：１５：００”及び放送時間長“２３”と、チャンネル識別コード“６チャンネル”、放送日時“２００３／０８／２５  ２０：０７：２２”及び放送時間長“３５”とであるので、これらの情報を送信する。
送受信部７１がベッドの放送特定データを受信すると、画面表示制御部７２は受信した放送特定データをハードディスクレコーダーに４に送信するか否かをユーザに問う画面をディスプレイ７３に表示させる（ステップ４１３）。ここで、ユーザが放送特定データを送信すると選択すると、赤外線送受信部７４は、受信した放送特定データをハードディスクレコーダー４に送信する（ステップ４１４）。
ハードディスクレコーダー４の赤外線送受信部４５が放送特定データを受信すると、画像検索部４３１は、受信した放送特定データに基づいてハードディスク４１の中から、画像を検索する（ステップＳ４１５）。
検索の結果、ハードディスク４１にベッドの放送画像が記憶されている場合、その検索された放送画像は再生部４３２によって再生され、商品イメージ画像ウィンドウ２０２に商品イメージ画像として表示される（ステップＳ４１６）。
ここでは、受信した放送特定データは、チャンネル識別コード“４チャンネル”、放送日時“２００３／０８／０８  １０：１５：００”及び放送時間長“２３”と、チャンネル識別コード“６チャンネル”、放送日時“２００３／０８／２５  ２０：０７：２２”及び放送時間長“３５”とである。しかしながら、記憶されているメタデータには、チャンネル識別コード“４チャンネル”、放送日時“２００３／０８／０８  １０：１５：００”及び放送時間長“２３”に該当するものしかない。従って、ディスプレイ５上には、４チャンネルにより２００３／０８／０８、１０：１５：００に放送されたドラマのシーンが２３秒表示される。
一方、検索の結果、ハードディスク４１にベッドの放送画像が記憶されていない場合、ディスプレイ７３に、ベッドの放送画像がハードディスク４１に記憶されていないことを表示させる（ステップＳ４１７）。
尚、本実施例では、商品画像と放送特定データとを、商品紹介コンテンツサーバーから取り込んでいるが、これに限るものではない。すなわち、記録媒体やバーコードリーダー等、商品画像や放送特定データを読み込めるものであれば良い。
尚、上述した第１から第４の実施例では、アナログ放送の場合について説明したが、デジタル放送であっても良い。又、データ放送であっても良い。その場合、商品情報と放送特定データとは、放送局１から送信する構成にしてもよい。
更に、本発明は、商品情報と放送画像とを連動させることが目的であるため、詳細な説明を省略するが、例えばｅコマース等を利用して、連続して商取引ができるような構成にしても良い。
【図１】
2005036879.tif 000003
【図７】
2005036879.tif 000004
【図２】
2005036879.tif 000005
【図３】
2005036879.tif 000006
【図４】
2005036879.tif 000007
【図６】
2005036879.tif 000008
【図５】
2005036879.tif 000009
【図８】
2005036879.tif 000010
【図９】
2005036879.tif 000011
【図１０】
2005036879.tif 000012
【図１１】
2005036879.tif 000013
【図１２】
2005036879.tif 000014
【図１３】
2005036879.tif 000015
【図１４】
2005036879.tif 000016
【図１５】
2005036879.tif 000017
【図１６】
2005036879.tif 000018
【図１７】
2005036879.tif 000019
【図１８】
2005036879.tif 000020
【図１９】
2005036879.tif 000021
【図２０】
2005036879.tif 000022
【図２４】
2005036879.tif 000023
【図２１】
2005036879.tif 000024
【図２２】
2005036879.tif 000025
【図２３】
2005036879.tif 000026
【図２５】
2005036879.tif 000027
【国際調査報告】
2005036879.tif 000028
2005036879.tif 000029
2005036879.tif 000030
2005036879.tif 000031